(57)【要約】【課題】銃の負紐を体に引掛けている状態で負紐を体から素早く切り離して銃操作を近接戦闘に対応させる。【解決手段】小銃用負紐１に銃５０に添う銃吊紐部２と体に引掛ける引掛紐部３を備え、一端部に銃５０の銃口側に引掛ける銃口側負紐掛金６を設け、他端部に銃の銃尾側に引掛ける銃尾側負紐掛金７を設ける。引掛紐部３を銃尾側引掛紐部１１と銃口側引掛紐部１０とで構成し、銃尾側引掛紐部１１と銃口側引掛紐部１０をクイックバックル１２を介して連結する。銃口側引掛紐部１０に離脱可能なバックル２５を介在させ、バックル２５とクイックバックル１２間の引掛紐部１０ｂに銃吊紐部２に連結する連結金具３０を設け、クイックバックル１２や負紐掛金６，７の外周に減音用のバンドを被せる。【選択図】  図１
2006329563.tif 000002
【特許請求の範囲】
【請求項１】
銃に添う銃吊紐部と体に引掛ける引掛紐部とを備えている負紐本体の一端部を銃の銃口側に連結し、他端部を銃の銃尾側に連結し、引掛紐部を体に引掛けるようになっている小銃用負紐において、引掛紐部の銃口側端部に近い部分にワンタッチで離脱可能なクイックバックルを介在させて成ることを特徴とする小銃用負紐。
【請求項２】
負紐本体の一端部に銃の銃口側に離脱可能に引掛ける負紐掛金を、他端部に銃の銃尾側に離脱可能に引掛ける負紐掛金を夫々設けて成る請求項１記載の小銃用負紐。
【請求項３】
引掛紐部を銃の銃尾側に連結される銃尾側引掛紐部と銃の銃口側に連結される銃口側引掛紐部とで構成し、銃尾側引掛紐部と銃口側引掛紐部をワンタッチで離脱可能なクイックバックルを介して連結するようにして成る請求項１または２記載の小銃用負紐。
【請求項４】
銃吊紐部と銃尾側引掛紐部とを銃尾側負紐掛金の紐通孔に挿通されている１本の紐部で構成し、銃吊紐部と銃尾側引掛紐部との銃尾側負紐掛金に近い部分をスライド金具に通して重合連結し、銃尾側引掛紐部の先端部をクイックバックルの紐通孔に挿通し、その先端部を折り返してスライド金具とクイックバックルの間の銃尾側引掛紐部に自在スライドを介して重合連結して成る請求項３記載の小銃用負紐。
【請求項５】
クイックバックルと銃への銃口側連結部の間の引掛紐部に離脱可能なバックルを介在させ、バックルとクイックバックルとの間の引掛紐部に、その引掛紐部を銃吊紐部にスライド可能に連結する連結金具を設けて成る請求項１乃至４記載の小銃用負紐。
【請求項６】
クイックバックルの外周に接触音低減用のバンドを被せて成る請求項１乃至５記載の小銃用負紐。
【請求項７】
負紐掛金の外周に接触音低減用のバンドを被せて成る請求項１乃至６記載の小銃用負紐。
【発明の詳細な説明】
【技術分野】
【０００１】
この発明は、小銃を携帯し易くする付属品である小銃用負紐に関するものである。
【背景技術】
【０００２】
従来の小銃用負紐は、負紐本体の一端部を銃の銃口側に設けた負紐掛金の紐通孔に挿通させて折り返し、その一端部を負紐本体にスライド金具を介して重合させて連結し、負紐本体の他端部を銃の銃尾側に設けた負紐掛金の紐通孔に挿通して折り返し、その他端部を自在スライドを介して重合させて連結している。
【特許文献１】実公平７−２２６３７号公報
【発明の開示】
【発明が解決しようとする課題】
【０００３】
特許文献１の小銃用負紐は、自在スライドによって負紐本体の長さを調整することで銃を抱える警戒姿勢から据銃できる射撃姿勢に変更できる利点を有するが、負紐を体から切り離した状態で射撃を行う近接射撃姿勢にするのに銃から手を放す必要があり、直ちに近接射撃姿勢をとれない問題がある。また、負紐を体から切り離さない状態で射撃を行う場合は銃の操作が制限を受け易い問題もある。また、自在スライド等が銃と接触して接触音を発生し易く、近接射撃時に周辺にいるものに気付かれてしまう問題もある。
【０００４】
本発明は、前記問題に鑑みてなされたもので、警戒状態から負紐の長さを調整して射撃可能状態に据銃でき、しかも、負紐を体から素早く切り離して近接戦闘に対応できる小銃用負紐を提供しようとするものである。
【課題を解決するための手段】
【０００５】
本発明は、前記課題を解決するために、銃に添う銃吊紐部と体に引掛ける引掛紐部とを備えている負紐本体の一端部を銃の銃口側に連結し、他端部を銃の銃尾側に連結し、引掛紐部を体に引掛けるようになっている小銃用負紐において、引掛紐部の銃口側端部に近い部分にワンタッチで離脱可能なクイックバックルを介在させて成ることを特徴としている（請求項１）。
また、本発明は、負紐本体の一端部に銃の銃口側に離脱可能に引掛ける負紐掛金を、他端部に銃の銃尾側に離脱可能に引掛ける負紐掛金を夫々設けて成ることを特徴としている（請求項２）。
また、本発明は、引掛紐部を銃の銃尾側に連結される銃尾側引掛紐部と銃の銃口側に連結される銃口側引掛紐部とで構成し、銃尾側引掛紐部と銃口側引掛紐部をワンタッチで離脱可能なクイックバックルを介して連結するようにして成ることを特徴としている（請求項３）。
また、本発明は、銃吊紐部と銃尾側引掛紐部とを銃尾側負紐掛金の紐通孔に挿通されている１本の紐部で構成し、銃吊紐部と銃尾側引掛紐部との銃尾側負紐掛金に近い部分をスライド金具に通して重合連結し、銃尾側引掛紐部の先端部をクイックバックルの紐通孔に挿通し、その先端部を折り返してスライド金具とクイックバックルの間の銃尾側引掛紐部に自在スライドを介して重合連結して成ることを特徴としている（請求項４）。
また、本発明は、クイックバックルと銃への銃口側連結部の間の引掛紐部に離脱可能なバックルを介在させ、バックルとクイックバックルとの間の引掛紐部に、その引掛紐部を銃吊紐部にスライド可能に連結する連結金具を設けて成ることを特徴としている（請求項５）。
また、本発明は、クイックバックルの外周に減音用のバンドを被せて成ることを特徴としている（請求項６）。
また、本発明は、負紐掛金の外周に減音用のバンドを被せて成ることを特徴としている（請求項７）。
【発明の効果】
【０００６】
本発明は、引掛紐部の銃口側負紐掛金に近いところにワンタッチで離脱可能なクイックバックルを介在させているので、引掛紐部をクイックバックルのワンタッチ操作で体から切り離すことができ、瞬時に近接戦闘に対応できる。
また、本発明は、負紐本体の一端部に銃の銃口側に離脱可能に引掛ける負紐掛金を、他端部に銃の銃尾側に離脱可能に引掛ける負紐掛金を夫々設けているので、負紐掛金を銃の銃尾側負紐連結部材と銃口側負紐連結部材にワンタッチで着脱でき、小銃用負紐を銃に対して簡単な操作で短時間で取付けたり外したりできる。
【０００７】
また、本発明は、引掛紐部を銃の銃尾側に連結される銃尾側引掛紐部と銃の銃口側に連結される銃口側引掛紐部とで構成し、銃尾側引掛紐部と銃口側引掛紐部をワンタッチで離脱可能なクイックバックルを介して連結しているので、引掛紐部の端部にクイックバックルを容易に装着でき、クイックバックルを引掛紐部に容易に介在できる。
また、本発明は、銃吊紐部と銃尾側引掛紐部とを銃尾側負紐掛金の紐通孔に挿通されている１本の紐部で構成し、銃吊紐部と銃尾側引掛紐部との銃尾側負紐掛金に近い部分をスライド金具に通して重合連結し、銃尾側引掛紐部の先端部をクイックバックルの紐通孔に挿通し、その先端部を折り返してスライド金具とクイックバックルの間の銃尾側引掛紐部に自在スライドを介して重合連結しているので、自在スライドの移動によって引掛紐部の長さを容易に調整できる。
【０００８】
また、本発明は、クイックバックルと銃への銃口側連結部との間の引掛紐部に離脱可能なバックルを介在させ、バックルとクイックバックルとの間の引掛紐部に、その引掛紐部を銃吊紐部にスライド可能に連結する連結金具を設けているので、バックルを離脱させることで引掛紐部を銃の銃口部分に対して移動可能にでき、銃の銃口側部分を大きく振り回すことができ、銃の操作性を良くできる。
また、本発明は、クイックバックルの外周に減音用のバンドを被せているので、銃操作の際にクイックバックルによる銃等との接触音や操作音を減音でき、近接射撃の際に周辺にいるものに気付かれるのを防止できる効果を奏する。
また、本発明は、負紐掛金の外周に減音用のバンドを被せているので、銃操作の際に負紐掛金による銃等との接触音を減音でき、近接射撃の際に周辺にいるものに気付かれるのを防止できる効果を奏する。
【発明を実施するための最良の形態】
【０００９】
次に、本発明の一実施形態を示す図１〜図５の小銃用負紐について説明する。
小銃用負紐の負紐本体１は、図１〜図３に示すように、銃に添う銃吊紐部２と体（例えば首と肩）に引掛ける引掛紐部３とを備えている。負紐本体１は、一端部が銃５０の銃口側に連結され、他端部が銃５０の銃尾側に連結され、引掛紐部３を体に引掛けて銃を支えるようになっている。銃５０の銃口側と銃尾側には銃口側負紐連結金具４と銃尾側負紐連結金具５が取着され、負紐本体１の一端部に銃口側負紐連結金具４に離脱可能に引掛ける銃口側負紐掛金６が設けられ、負紐本体１の他端部に銃尾側負紐連結金具５に離脱可能に引掛ける銃尾側負紐掛金７が設けられ、負紐掛金６、７を負紐連結金具４、５に引掛けることで負紐本体１の両端部が銃５０の銃口側と銃尾側に夫々連結されている。なお、負紐本体１は、負紐掛金６、７を用いることなく銃の銃口側と銃尾側に直接連結したり、別の紐部材等を用いて銃の銃口側と銃尾側に連結するものでも良い。
【００１０】
引掛紐部３は、銃の銃口側に連結される銃口側引掛紐部１０と銃の銃尾側に連結される銃尾側引掛紐部１１とで構成されている。銃口側引掛紐部１０と銃尾側引掛紐部１１とは銃口側負紐掛金６に近い部分でワンタッチで離脱可能なクイックバックル１２を介して連結されている。クイックバックル１２は、弾性変形可能な一対の係止爪１４ａを有する差込具１４と、一対の係止爪１４ａを一時的に弾性変形させて係止部１５ｂに係止させる受入孔１５ａを有する受入具１５とから成っており、係合状態の一対の係止爪１４ａを指で挟んで窄めるように弾性変形させると、係止爪１４ａが係止部１５ｂから外れて差込具１４を受入具１５から離脱させ得るようになっている。
【００１１】
銃吊紐部２と銃尾側引掛紐部１１とは、銃尾側負紐掛金７の紐通孔７ａに挿通されている１本の紐部で構成されている。銃吊紐部２と銃尾側引掛紐部１１との銃尾側負紐掛金７に近い部分はスライド金具１８に通して重合連結され、銃尾側引掛紐部１１の先端部がクイックバックル１２の受入具１５の紐通孔１５ｃに挿通され、その先端部が折り返されてスライド金具１８とクイックバックル１２との間の銃尾側引掛紐部１１に自在スライド２０を介して重合連結されている。
スライド金具１８は、図２に示すように、長方形状をなす中空の枠体１９の対向する一対の縁枠１９ａ間の空間を１本のブリッジ１６で区切って２つの紐通孔１７が形成されている。スライド金具１８の２つの紐通孔１７には重合させた銃吊紐部２と銃尾側引掛紐部１１が挿通され、両紐部２、１１が止着されている。
【００１２】
自在スライド２０は、図２に示すように、長方形状の枠体２１の対向する一対の縁枠２１ａ間の空間を３本のブリッジ２２で区切って４つの紐通孔２３が形成されている。ブリッジ２２の取付高さは真中のブリッジ２２が一番低くその外側のブリッジ２２と縁枠２１ａとが真中のブリッジ２２より若干高い略同じ高さに設けらている。自在スライド２０の中心側の２つの紐通孔２３には重合させる一方の紐部である折返し前の銃尾側引掛紐部１１が挿通され、両外側の２つの紐通孔２３には重合させる他方の紐部である折返し後の銃尾側引掛紐部１１が挿通され、重合する銃尾側引掛紐部１１を小さい力で相対的にスライドさせることで銃尾側引掛紐部１１の長さを容易に調整できるようになっている。
銃吊紐部２と銃口側引掛紐部１０の一部とは、銃口側負紐掛金６の紐通孔６ａに挿通されている１本の紐部で構成されている。銃吊紐部２と銃口側引掛紐部１０との銃口側負紐掛金６に近い部分は結合糸によって一体的に重合固着されている。
銃口側引掛紐部１０は、負紐掛金側引掛紐部１０ａとクイックバックル側引掛紐部１０ｂとで構成されている。負紐掛金側引掛紐部１０ａとクイックバックル側引掛紐部１０ｂとは、ワンタッチで着脱可能なバックルであるワンサムバックル２５を介して離脱可能に連結されている。
【００１３】
ワンサムバックル２５は、係止部２６ａが突設されている差込板２６ｂを有する差込具２６と差込板２６ｂを挿入可能な挿入隙間２８ａを有する受入具２８とから成っている。受入具２８の挿入隙間２８ａを形成する一方の係止板２８ｂは弾性変形可能で、かつ係止部２６ａに係合可能な係止孔２８cが形成され、差込板２６ｂを挿入隙間２８ａに差込むと係止部２６ａが係止孔２８ｃに係合して連結され、係止板２８ｂを弾性変形させて挿入隙間２８ａを拡げると係止部２６ａと係止孔２８ｃの係合が外れて差込板２６ｂを挿入隙間２８ａから離脱させ得るようになっている。
ワンサムバックル２５の差込具２６がクイックバックル側引掛紐部１０ｂに取着され、受入具２８が負紐掛金側引掛紐部１０ａに取着され、その結果、クイックバックル１２と銃５０への銃口側連結部である銃口側負紐掛金６との間の銃口側引掛紐部１０に離脱可能なバックル２５が介在されている。
【００１４】
バックル２５とクイックバックル１２との間のクイックバックル側引掛紐部１０ｂには、その引掛紐部１０ｂを銃吊紐部２にスライド可能に連結する連結金具３０が設けられている。連結金具３０は、図４に示すように、長方形状の枠体３１の対向する一対の縁枠３１ａ間の空間を１本のブリッジ３２で区切って２つの紐通孔３３、３４が形成されている。連結金具３０の一方の紐通孔３３にはクイックバックル側引掛紐部１０ｂが挿通されて取着され、他方の紐通孔３４には銃吊紐部２が移動可能に挿通され、連結金具３０が銃吊紐部２に移動自在に連結されている。
クイックバックル１２部分の外周、スライド金具１８部分の外周、自在スライド２０部分の外周及びワンサムバックル２５部分の外周には、夫々布ゴム製の筒状の減音用バンド４０が被せられている。また、銃口側負紐掛金６部分の外周と銃尾側負紐掛金７部分の外周には、夫々布ゴム製の円錐筒状の減音用バンド４５が被せられている。減音用バンド４５は、円錐筒状になっているので負紐掛金６、７の先端部を近接位置で囲むと共に負紐連結金具４、５に弾力的に当接し、負紐連結金具４、５に対する負紐掛金６、７の動きを抑制して音の発生を防止できる。
なお、銃尾側引掛紐部１１の自由端である先端部は、図１に示すように銃尾側引掛紐部１１を挿通させた筒状の布ゴム製のバンド４７によって止着されている。
【００１５】
次に、小銃用負紐の操作について説明する。
上記の小銃用負紐においては、一端部の銃口側負紐掛金６を銃５０の銃口側負紐連結金具４に引掛け、他端部の銃尾側負紐掛金７を銃尾側負紐連結金具５に引掛け、また、クイックバックル１２を結合させると共にワンサムバックル２５を結合させ、この状態で引掛紐部３を使用者の体（首や肩）に引掛けて銃５０を携行する。その場合、引掛紐部３の長さを調整したいときは、体に引掛けたままの状態で自在スライド２０を掴んで重合状態の一方の銃尾側引掛紐部１１に対して相対的にスライドさせることで銃尾側引掛紐部１１の長さを容易に調整でき、結果として引掛紐部３を最適長さに調整できる。
小銃用負紐１の引掛紐部３を使用者の体に引掛けて銃５０を携行している場合に、近接戦闘時等のように引掛紐部３を使用者の体から外して銃５０を近接射撃する必要が生じたときは、クイックバックル１２の一対の係止爪１４ａを指で押して差込具１４を受入具１５から離脱させる。その結果、引掛紐部３の銃口側引掛紐部１０と銃銃尾側引掛紐部１１とがクイックバックル１２部分で素早く分離され、小銃用負紐１の引掛紐部３を使用者の体から切り離すことができ、銃５０を狭い箇所でも自由に操作することができる。
【００１６】
また、小銃用負紐１の引掛紐部３を使用者の体に引掛けて銃５０を携行している状態で、銃５０の向きを大きく動かしたいときは、ワンサムバックル２５の係止板２８ｂを挿入隙間２８ａが拡がるように弾性変形させて差込具２６を受入具２８から離脱させる。その結果、銃口側引掛紐部１０の負紐掛金側引掛紐部１０ａとクイックバックル側引掛紐部１０ｂとがワンサムバックル２５部分で素早く分離され、クイックバックル側引掛紐部１０ｂが連結金具３０によって銃吊紐部２に連結された状態で銃吊紐部２に沿ってスライドし、銃５０の銃口側の向きを大きく操作することができる。なお、クイックバックル側引掛紐部１０ｂは、連結金具３０によって銃吊紐部２にスライド可能に連結されているので、クイックバックル１２とワンサムバックル２５を離脱させても紛失のおそれがなく、しかも、クイックバックル１２とワンサムバックル２５を容易に再結合させることができる。
【００１７】
小銃用負紐を取り扱う場合、クイックバックル１２部分の外周、スライド金具１８部分の外周、自在スライド２０部分の外周及びワンサムバックル２５部分の外周に夫々布ゴム製の減音用バンド４０が被せられ、また、銃口側負紐掛金６部分の外周と銃尾側負紐掛金７部分の外周にも夫々布ゴム製の減音用バンド４５が被せられているので、クイックバックル１２、スライド金具１８、自在スライド２０、ワンサムバックル２５、銃口側負紐掛金６および銃尾側負紐掛金７が銃５０等に当接して大きな音が発生するのを防止できる。従って、特に近接戦闘時等の近接射撃の際に、クイックバックル１２やワンサムバックル２５の操作音や各部品の衝突音等で近辺にいる人や物に気付かれるのを防止できる。
【図面の簡単な説明】
【００１８】
【図１】本発明の一実施形態を示す小銃用負紐と銃の関係を示す説明図である。
【図２】一部を省略した小銃用負紐の平面を示す平面図である。
【図３】図２の小銃用負紐の側面を示す側面図である。
【図４】図２の小銃用負紐のクイックバックル側引掛紐部を示す平面図である。
【図５】図４のクイックバックル側引掛紐部の側面を示す側面図である。
【符号の説明】
【００１９】
１    負紐本体
２    銃吊紐部
３    引掛紐部
６    銃口側負紐掛金
７    銃尾側負紐掛金
７ａ  紐通孔
１０    銃口側引掛紐部
１０ｂ  クイックバックル側引掛紐部
２５    ワンサムバックル
５０    銃
３０    連結金具
４０    減音用バンド
４５    減音用バンド
【図１】
2006329563.tif 000003
【図２】
2006329563.tif 000004
【図３】
2006329563.tif 000005
【図４】
2006329563.tif 000006
【図５】
2006329563.tif 000007